(57)【要約】【課題】ベースの上板部にホルダを接着する際に、被押さえ部へ接着剤がはみ出すことを防止できるカメラモジュールを提供すること。【解決手段】本発明のカメラモジュールは、撮像素子を有する基板と、略正方形状の上板部４１を有し、基板上に撮像素子を密閉するように設けたベース４０と、ベース４０の上板部４１に接着固定されたホルダと、ホルダに取り付けたレンズユニットとを備える。ベース４０は、ベース４０に接着剤で固定されたホルダの周囲の好ましくない場所に接着剤がはみ出すことを防止するはみ出し防止手段を含む。このはみ出し防止手段は、上板部４１の角に形成された角段部４２を囲むように形成された第１の溝５５と、隣り合う角段部４２の間にベース４０の上板部４１の外縁に沿って形成された第２の溝５６とを有する。【選択図】図５
2006106716.tif 000002
【特許請求の範囲】
【請求項１】
撮像素子を有する基板と、
前記基板上に前記撮像素子を密閉するように設けられ、略四角形状の上板部を有するベースと、
前記ベースの上板部に接着剤を介して固定されたホルダと、
前記ホルダに取り付けられているレンズユニットと、を有するカメラモジュールにおいて、
前記ベースの上板部に、前記ホルダを前記ベースに固定する際に前記ホルダの周囲に前記接着剤がはみ出すことを防止するはみ出し防止手段を設けていることを特徴とするカメラモジュール。
【請求項２】
前記ベースは、カメラモジュールをカメラ付き小型電子機器に取り付ける際に保持部材によって保持される被押さえ部を有し、該被押さえ部は、前記ベースの上板部の４つの角にそれぞれ設けられており、前記はみ出し防止手段は、前記ベースの前記被押さえ部に接着剤がはみ出すことを防止するために設けられている請求項１に記載のカメラモジュール。
【請求項３】
前記はみ出し防止手段は、前記被押さえ部として使用されている角段部を含み、該角段部は、前記上板部の前記ホルダが接着された領域を回避するように、前記ベースの上板部の角にそれぞれ形成されている請求項２に記載のカメラモジュール。
【請求項４】
前記はみ出し防止手段は、前記上板部の前記ホルダが接着された領域の外にはみ出す前記接着剤を受けるための複数の溝をさらに含み、該溝は、前記角段部と前記上板部の前記ホルダが接着された領域とを回避するように前記ベースの上板部に形成されている請求項３に記載のカメラモジュール。
【請求項５】
前記溝は、前記角段部を囲むようにそれぞれ形成されている第１の溝を含む請求項４に記載のカメラモジュール。
【請求項６】
前記第１の溝は、略Ｌ字型の形状を有している請求項５に記載のカメラモジュール。
【請求項７】
前記溝は、少なくとも１個の第２の溝を含み、該第２の溝は、直線状の形状を有しており、隣り合う前記角段部の間に前記ベースの上板部の外縁に沿って形成されている請求項４に記載のカメラモジュール。
【発明の詳細な説明】
【技術分野】
【０００１】
本発明は、カメラモジュールに関し、さらに詳しくは、デジタルカメラやカメラ付き携帯電話などのカメラ付き小型電子機器に用いることができるカメラモジュールに関する。
【背景技術】
【０００２】
デジタルカメラおよびカメラ付き携帯電話などのカメラ付き小型電子機器には、小型カメラモジュールが使用されている。このようなカメラモジュールは、レンズとＣＣＤイメージセンサやＣＭＯＳイメージセンサといった撮像素子とを有する。近年、このようなカメラ付き小型電子機器のさらなる小型化、薄型化が要求されている。これにともない、これらのカメラ付き小型電子機器に使用されているレンズと撮像素子とを一体化したカメラモジュールに対しても小型化、薄型化が要求されている。
【０００３】
従来のカメラモジュールの構造として、図７に示すものが提案されている。図７に示すカメラモジュール１００は、撮像素子１１０を有する基板１２０と、基板１２０上に撮像素子１１０を密閉するように設けられたベース１３０と、ベース１３０の上板部１３１（図８参照）上に接着剤を介して固定されたホルダ１６０と、ホルダ１６０に螺合し複数のレンズ１８０、１８１を有するレンズユニット１７０と、からなる構造を有する。
【０００４】
カメラモジュール１００をカメラ付き小型電子機器に組み付ける際に、図８に示すように、ベース１３０の上板部１３１のホルダ１６０が接着されない４つの角部分を保持部材（図示せず）用の被押さえ部１３２として使用する。
【発明の開示】
【発明が解決しようとする課題】
【０００５】
このようなカメラモジュール１００では、ベース１３０の上板部１３１にホルダ１６０を接着剤で接着する際に、ベース１３０内に密閉された撮像素子１１０の中心にレンズユニット１７０のレンズ１８０、１８１の光軸を一致させるために、ベース１３０に対するホルダ１６０の位置を調整する。この調整は、ベース１３０の上板部１３１の所定位置に接着剤が塗布された状態で、上板部１３１上でホルダ１６０の位置を細かく動かしながら行われる。そのため、このような調整工程では、ベース１３０の上板部１３１の被押さえ部１３２に接着剤がはみ出してしまうおそれがある。被押さえ部１３２上にはみ出した接着剤が被押さえ部１３２上に付着し硬化してしまうと、被押さえ部１３２を保持部材によって正確に保持することができなくなり、カメラモジュール１００をカメラ付き小型電子機器に正確に組み付けることができないという問題が生じる。
【０００６】
さらに、このようなカメラモジュール１００では、カメラ付き小型電子機器内に設けられている制御回路と接続するために、フレキシブルプリント回路基板（図示せず）をカメラモジュール１００の基板１２０に接続する。このようなフレキシブルプリント回路基板を基板１２０に接続する際に、フレキシブルプリント回路基板とベース１３０を備える基板１２０との間に異方性導電膜（図示せず）を挿入し、フレキシブルプリント回路基板およびベース１３０の両側から治具を使用して圧力を加える。同時に、異方性導電膜側にはフレキシブルプリント回路基板を介して熱を加える。このようにして、フレキシブルプリント回路基板をカメラモジュール１００の基板１２０に接続する。
【０００７】
このようなカメラモジュール１００では、被押さえ部１３２に接着剤がはみ出すことを防止するために、被押さえ部１３２を囲むようにベース１３０の上板部１３１上に壁のような突出部を形成する方法が考えられる。しかしながら、ベース１３０の上板部１３１上にこのような突出部を形成した場合、上板部１３１上に段差部分が形成されることになる。このような段差が形成されることによって、フレキシブルプリント回路基板を基板１２０に接続する際に、上板部１３１上の治具によって圧力を加えるために使用できる部分の面積が減少する。その結果、フレキシブルプリント回路基板を基板１２０に接続する際に、ベース１３０に十分な圧力を加えることができず、フレキシブルプリント回路基板を確実に基板１２０に接続できないという状況に至る。
【０００８】
また、被押さえ部１３２へ接着剤がはみ出すことを防止するために、ベース１３０の上板部１３１の面積に対するホルダ１６０の下端部の面積を相対的に小さくすることが考えられる。しかしながら、カメラモジュールの小型化の要請によってベース１３０の上板部１３１の寸法が制限されているため、ベース１３０の上板部１３１を大きくすることができない。そのため、このような方法においては、ベース１３０の上板部１３１に対してホルダ１６０の下端部を小さくするほかない。しかしながら、ホルダ１６０の下端部を小さくすることによって、上板部１３１と接着するためのホルダ１６０の下端部の接着面積が小さくなり、ホルダ１６０とベース１３０との接着強度が十分に得られなくなってしまう。その結果、カメラモジュール１００の耐衝撃性が悪くなるという問題が生じる。
【０００９】
本発明は、これらの問題に鑑みなされたものであり、その目的は、ベースの上板部にホルダを接着する際に、被押さえ部へ接着剤がはみ出すことを防止できるカメラモジュールを提供することにある。
【課題を解決するための手段】
【００１０】
上記目的を達成するために、本発明のカメラモジュールは、撮像素子を有する基板と、前記基板上に前記撮像素子を密閉するように設けられ、略四角形状の上板部を有するベースと、前記ベースの上板部に接着剤を介して固定されたホルダと、前記ホルダに取り付けられているレンズユニットと、を有するカメラモジュールにおいて、前記ベースの上板部に、前記ホルダを前記ベースに固定する際に前記ホルダの周囲に前記接着剤がはみ出すことを防止するはみ出し防止手段を設けていることを特徴とする。
【００１１】
また、本発明のカメラモジュールでは、前記ベースは、カメラモジュールをカメラ付き小型電子機器に取り付ける際に保持部材によって保持される被押さえ部を有し、該被押さえ部は、前記ベースの上板部の４つの角にそれぞれ設けられており、前記はみ出し防止手段は、前記ベースの前記被押さえ部に接着剤がはみ出すことを防止するために設けられていることが好ましい。
【００１２】
また、本発明のカメラモジュールでは、前記はみ出し防止手段は、前記被押さえ部として使用されている角段部を含み、該角段部は、前記上板部の前記ホルダが接着された領域を回避するように、前記ベースの上板部の角にそれぞれ形成されていることが好ましい。
【００１３】
また、本発明のカメラモジュールでは、前記はみ出し防止手段は、前記上板部の前記ホルダが接着された領域の外にはみ出す前記接着剤を受けるための複数の溝をさらに含み、該溝は、前記角段部と前記上板部の前記ホルダが接着された領域とを回避するように前記ベースの上板部に形成されていることが好ましい。
【００１４】
また、本発明のカメラモジュールでは、前記溝は、前記角段部を囲むようにそれぞれ形成されている第１の溝を含むことが好ましい。
【００１５】
また、本発明のカメラモジュールでは、前記第１の溝は、略Ｌ字型の形状を有していることが好ましい。
【００１６】
また、本発明のカメラモジュールでは、前記溝は、少なくとも１個の第２の溝を含み、該第２の溝は、直線状の形状を有しており、隣り合う前記角段部の間に前記ベースの上板部の外縁に沿って形成されていることが好ましい。    
【発明の効果】
【００１７】
請求項１記載のカメラモジュールによれば、ベースの上板部に、ホルダをベースに固定する際にホルダの周囲に接着剤がはみ出すことを防止するはみ出し防止手段を設けている。はみ出し防止手段がホルダの周囲に接着剤がはみ出すことを防止することによって、カメラモジュールの望ましくない部分に接着剤が付着して、カメラモジュールをカメラ付き小型電子機器に正確に取り付けられなくなるという事態を防ぐことができる。
【００１８】
請求項２記載のカメラモジュールによれば、ベースは、カメラモジュールをカメラ付き小型電子機器に取り付ける際に保持部材によって保持される被押さえ部を有し、この被押さえ部は、ベースの上板部の４つの角にそれぞれ設けられており、はみ出し防止手段は、ベースの前押さえ部に接着剤がはみ出すことを防止するために設けられている。このようなはみ出し防止手段によって、接着剤が被押さえ部に付着しカメラモジュールをカメラ付き小型電子機器に正確に取り付けられなくなるという事態を防ぐことができる。
【００１９】
請求項３記載のカメラモジュールによれば、はみ出し防止手段は、被押さえ部として使用されている角段部を含み、角段部は、上板部のホルダが接着された領域を回避するように、ベースの上板部の角にそれぞれ形成されている。それぞれの角段部の段差によって、ベースの上板部にある接着剤に十分な表面張力が働き、接着剤が上板部から角段部へはみ出すことを防止できる。
【００２０】
請求項４記載のカメラモジュールによれば、はみ出し防止手段は、上板部のホルダが接着された領域の外にはみ出す接着剤を受けるための複数の溝をさらに含み、この溝は、角段部と上板部のホルダが接着された領域とを回避するようにベースの上板部に形成されている。この結果、ベースとホルダとの接着面積を減らすことなく、接着剤が角段部にはみ出すことをより確実に防止できる。
【００２１】
請求項５記載のカメラモジュールによれば、溝は、角段部を囲むようにそれぞれ形成されている第１の溝を含む。所定の塗布領域からはみ出した接着剤がこの第１の溝に流れ込むことによって、接着剤が角段部にはみ出すことを確実に防止できる。
【００２２】
請求項６記載のカメラモジュールによれば、第１の溝は、略Ｌ字型の形状を有しているので、第１の溝は、接着剤が角段部にはみ出すことをより確実に防止できる。
【００２３】
請求項７記載のカメラモジュールによれば、少なくとも１個の第２の溝を含み、第２の溝は、直線状の形状を有しており、隣り合う角段部の間にベースの上板部の外縁に沿って形成されている。所定の塗布領域からはみ出した接着剤がこの第２の溝に流れ込むことによって、接着剤がベースの側面にはみ出すことを防止できる。このようなカメラモジュールでは、カメラ付き小型電子機器内のカメラモジュールが取り付けられるスペースが制限されている。そのため、ベースの上板部の外縁を越えてベースの側面に付着する接着剤は、カメラモジュールの取り付け精度に影響を及ぼす。したがって、第２の溝を形成することは、このような望ましくない状態を避けるために有効である。
【００２４】
上述したおよび他の本発明の構成、作用および効果は、図面を参照して行う以下の好適実施形態の説明からより明らかとなるであろう。
【発明を実施するための最良の形態】
【００２５】
以下、本発明のカメラモジュールについて添付図面に示す好適な実施形態に基づいて詳細に説明する。
【００２６】
図１は、本発明の第１実施形態に係るカメラモジュールの外観を示す斜視図である。図２は、図１に示すカメラモジュールの分解断面図である。
【００２７】
本発明の第１実施形態に係るカメラモジュール１は、図１および図２に示すように、撮像素子１０を有する基板２０と；基板２０上に撮像素子１０を密閉するように設けられ、略四角形状の上板部３１を有するベース３０と；ベース３０の上板部３１に接着剤を介して固定されたホルダ６０と；ホルダ６０に螺合され、レンズ８０、８１を有するレンズユニット７０と；から構成されている。
【００２８】
以下、各構成部材の詳細について説明する。なお、本明細書においては、上および下の文言を適宜使用するが、各部材の説明において、図１に示す矢印の向きを上方向とし、この矢印の逆の向きを下方向とする。
【００２９】
基板２０の中央には撮像素子１０が取り付けられている。撮像素子１０として、例えばＣＭＯＳイメージセンサやＣＣＤイメージセンサが使用される。さらに、コンデンサなどの複数の電子部品１１が、撮像素子１０の両側に所定間隔をおいて基板２０上に取り付けられている。カメラモジュール１が組み立てられた状態では、この撮像素子１０および電子部品１１は、基板２０とベース３０と後述するカットフィルタ５０とで形成される密閉空間に収納される。
【００３０】
基板２０上に設けられるベース３０は、合成樹脂からなる。図３に示すように、上板部３１の中央には、上板部３１より低い位置に略円形状の平面部３９が形成されている。その略円形状の平面部３９の内側には、さらに、遠赤外線を透過しないカットフィルタ５０（図２参照）を位置決めした状態で収容するための略四角形状の位置決め部３７が形成されている。位置決め部３７は、カットフィルタ５０をベース３０に接着するための接着剤塗布面を有する。また、位置決め部３７の周囲には、ディスペンサー等で接着剤を塗布する際にニードル（注射針）が入り込むための逃がし形状も兼ねる４個の半円状の接着剤注入部３８が設けられている。また、位置決め部３７の中央には、撮像素子１０に光を導入するための略四角形状の開口３６が形成されている。
【００３１】
ベース３０の上板部３１の４つの角には、ホルダ６０が接着される部分を回避するように４つの角段部３２がそれぞれ形成されている。これらの角段部３２は、カメラモジュール１をカメラ付き小型電子機器に組み付ける際に、保持部材（図示せず）用の被押さえ部としての役割を果たす。また、これらの角段部３２は、レンズ８０、８１の光軸を撮像素子１０の中心に一致させるために、上板部３１上でホルダ６０の位置を細かく動かす際に、ホルダ６０の周囲の好ましくない場所に接着剤がはみだすことを防止する防止手段としての役割を果たす。
【００３２】
また、ベース３０の上板部３１のひとつの角部付近には、ベース３０を適切な向きで配置し、組み立てるための目印となる凹部３１ａが形成されている。
【００３３】
図２および図３に示すように、ベース３０は、上板部３１の外縁に沿って上板部３１と一体的に形成された周壁部３５を有している。周壁部３５は、上板部３１のそれぞれの外縁に沿って設けられている４つの壁部３５ａと、隣り合う壁部３５ａの角に設けられている４つのコーナーポスト３５ｂとを含む。各コーナーポスト３５ｂは、壁部３５ａの下端を越えて下方に延出している。これらのコーナーポスト３５ｂは、ベース３０を基板２０に組み付ける際に、基板２０に対してベース３０を位置決めするために、それぞれ基板２０の４つの角に形成された凹部２０ａ（図２参照）と嵌合するように構成されている。その際、ベース３０は、周壁部３５の壁部３５ａの下端部に接着剤を塗布し、その状態で壁部３５ａの下面を基板２０の上面に接着する。
【００３４】
ホルダ６０は、合成樹脂からなり、ベース３０の上板部３１の上面に接着剤で固定される。図２および図４に示すように、ホルダ６０は、円筒形の筒状部６１と、その筒状部６１の外周の下部に一体に設けられた略正方形状のフランジ部６２とから構成されている。
【００３５】
ホルダ６０の筒状部６１の内周には、レンズユニット７０の外周面に形成されたネジ溝７１と螺合するためのネジ溝６３が形成されている。これにより、レンズユニット７０をホルダ６０の筒状部６１に螺合させることができる。
【００３６】
図４に示すように、ホルダ６０のフランジ部６２の４つの角部は、それぞれ、窪んだ形状を有する。フランジ部６２のこのような形状によって、図１に示すように、ホルダ６０がベース３０に組み付けられた際に、ベース３０のそれぞれの角段部３２の上部に空間が形成される。
【００３７】
ホルダ６０は、図２に示すように、筒状部６１の底面６４を介して、接着剤でベース３０の上板部３１の上面に接着される。ホルダ６０をベース３０の上板部３１の上面に接着する際に、ホルダ６０の筒状部６１の底面６４の形状に対応する上板部３１の所定の領域に接着剤を前もって塗布する。従来のカメラモジュールを参照して前述したように、ベース３０内に密閉された撮像素子１０の中心にレンズユニット７０のレンズ８０、８１の光軸を一致させるために、ベース３０に対するホルダ６０の位置が調整される。この調整は、接着剤がホルダ６０とベース３０の上板部３１との間に存在する状態で、ベース３０の上板部３１上でホルダ６０の位置を細かく動かしながら行われる。
【００３８】
ホルダ６０が上板部３１の上面に接着される際、フランジ部６２の底面６５とベース３０の上板部３１の上面との間に微小な空間が形成される。さらに、角段部３２を形成することによって、上板部３１の４つの角部にそれぞれ段差が形成される。その結果、この微小な空間に存在する接着剤に、角段部３２の方向にはみ出すことを妨げる表面張力が働く。この表面張力によって、接着剤がフランジ部６２の底面６５と上板部３１の上面との間からはみ出し、角段部３２に流入することを防止できる。したがって、これらの角段部３２は、レンズ８０、８１の光軸を撮像素子１０の中心に一致させるように調整しながらホルダ６０をベース３０の上板部３１に接着する際に、ホルダ６０の周囲に接着剤がはみ出すことを防止するためのはみ出し防止手段として機能する。
【００３９】
すなわち、上記のベース３０を有する第１実施形態のカメラモジュール１によれば、ベース３０の上板部３１上にホルダ６０を接着する際に、被押さえ部としての角段部３２に接着剤がはみ出すことを防止できる。
【００４０】
以下、本発明の第２実施形態に係るカメラモジュール１について説明する。第２実施形態のカメラモジュール１の特徴は、角段部３２に接着剤がはみ出すことをより確実に防止できるように構成されているベース４０の構造にある。そのため、以下の説明では、ベース４０の構造の説明に重点をおき、基板２０、ホルダ６０およびレンズユニット７０といった第１実施形態と同じ構成要素の説明は省略する。また、同じ構成要素は同じ符号を用いて説明される。
【００４１】
ベース４０は、合成樹脂からなる。図５に示すように、ベース４０は、第１実施形態のベース３０と同様に、ベース４０の上板部４１の中央には、上板部４１の上面より低い位置に略円形状の平面部４９が形成されている。さらに、その略円形状の平面部４９の内側には、遠赤外線を透過しないカットフィルタ５０（図２参照）を位置決めした状態で収容するための略四角形状の位置決め部４７が形成されている。位置決め部４７は、カットフィルタ５０をベース４０に接着するための接着剤塗布面を有する。また、位置決め部４７の周囲には、ディスペンサー等で接着剤を塗布する際にニードル（注射針）が入り込むための逃がし形状も兼ねる半円状の４個の接着剤注入部４８が設けられている。また、位置決め部４７の中央には、撮像素子１０に光を導入するための略四角形状の開口４６が形成されている。
【００４２】
ベース４０の略四角形状の上板部４１の４つの角には、ベース４０の上板部４１でホルダ６０が接着される部分を回避するように、４つの角段部４２がそれぞれ形成されている。角段部４２は、カメラモジュール１をカメラ付き小型電子機器に組み付ける際に、保持部材用の被押さえ部としての役割を果たす。
【００４３】
また、ベース４０の上板部４１のひとつの角部付近には、ベース４０を適切な向きで配置し、組み立てるための目印となる凹部４１ａが形成されている。
【００４４】
図２および図５に示すように、ベース４０は、上板部４１の外縁に沿って上板部４１と一体的に形成された周壁部４５を有している。周壁部４５は、上板部４１のそれぞれの外縁に沿って設けられている４つの壁部４５ａと、隣り合う壁部４５ａの角に設けられている４つのコーナーポスト４５ｂとを含む。各コーナーポスト４５ｂは、壁部４５ａの下端を越えて下方に延出している。これらのコーナーポスト４５ｂは、ベース４０を基板２０に組み付ける際に、基板２０に対してベース３０を位置決めするために、それぞれ基板２０の４つの角に形成された凹部２０ａ（図２参照）と嵌合するように構成されている。その際、ベース４０は、周壁部４５の壁部４５ａの下端部に接着剤を塗布し、その状態で壁部４５ａの下面を基板２０の上面に接着する。
【００４５】
この第２実施形態のベース４０では、角段部４２のような好ましくない場所に接着剤がはみ出すことを防止するために、複数の溝が形成されている。これらの溝は、角段部４２およびホルダ６０が接着される上板部４１の領域を回避するように、上板部４１上に設けられている。
【００４６】
これらの溝は、第１の溝５５および第２の溝５６を含む。第１の溝５５は、略Ｌ字型の形状を有し、各角段部４２と略円形状の平面部４９との間に、各角段部４２を囲むようにそれぞれ形成されている。
【００４７】
第１実施形態の説明で上述したように、レンズ８０、８１の光軸を撮像素子１０の中心に一致させるために、ベース４０の上板部４１の所定位置に接着剤を塗布した状態で、上板部４１上でホルダ６０の位置を細かく動かしながらベース４０に対するホルダ６０の位置の調整が行われる。この場合、塗布した接着剤が所定の領域からはみ出すおそれがあるが、このはみ出した接着剤は、第１の溝５５に流れ込む。これによって、接着剤がベース４０の上板部４１の角段部４２にはみ出すことを防止できる。
【００４８】
また、第２の溝５６は、直線状の形状を有し、隣り合う角段部４２の間にベース４０の上板部４１の外縁に沿ってそれぞれ形成されている。本実施形態では、第２の溝５６は、上板部４１上の３箇所に形成されている。これら第２の溝５６は、接着剤がベース４０の側面にはみ出すことを防止するために設けられている。
【００４９】
カメラ付き小型電子機器では、一般的に、カメラモジュール１が取り付けられるスペースがかなり制限されている。そのため、ベース４０の上板部４１の外縁を越えてはみ出して、ベース４０の側面に付着する接着剤は、カメラモジュール１の取り付け精度に影響を及ぼす。したがって、第２の溝５６を形成することは、このような望ましくない状態を避けるために有効である。
【００５０】
上記の第２実施形態のベース４０では、上記の第１の溝５５および第２の溝５６がベース４０の上板部４１上に形成されているため、上記第１実施形態のベース３０に比べて、ホルダ６０をベース４０に接着する際に、被押さえ部として使用される角段部４２およびベース４０の側面に接着剤がはみ出すことをより確実に防止できる。
【００５１】
また、第２実施形態において、第１の溝５５および第２の溝５６の個数および形状は、上で述べた、および図示された個数および形状に限定されることなく、必要に応じた適切な変更を加えてもよい。
【００５２】
以下、本発明に係るカメラモジュール１を組み立てる手順の一例を、第２実施形態のベース４０を用いた例に基づいて説明する。
【００５３】
[１]  まず、レンズユニット７０に、レンズ８０、８１を取り付ける。
[２]  次に、レンズ８０、８１を取り付けたレンズユニット７０をホルダ６０に螺合させる。
[３]  次に、撮像素子１０および複数の電子部品１１が取り付けられた基板２０上に、ベース４０を接着剤で固定する。
[４]  次に、カットフィルタ５０をステップ[３]で組み立てられた組立体をベース４０の位置決め部４７に配置し、接着剤で固定する。これにより、撮像素子１０および複数の電子部品１１を密閉空間に封止することができる。
[５]  次に、下からフレキシブルプリント回路基板（図示せず）、異方性導電膜（図示せず）、基板２０の順に配置する。次に、基板２０上のベース４０とフレキシブルプリント回路基板の上下から圧力を加える。同時に異方性導電膜側にはフレキシブルプリント回路基板を介して熱を加える。このようにして、フレキシブルプリント回路基板を基板２０に接続する。
[６]  次に、ステップ[５]で組み立てられた組立体のベース４０の上板部４１の所定位置に接着剤を塗布する。
[７]  次いで、ベース４０の上板部４１の上面上で、ステップ[２]で用意されたホルダ６０の位置を細かく動かすことにより、レンズ８０、８１の光軸と撮像素子１０の中心との位置調整を行う。この調整工程において、仮にホルダ６０と上板部４１との間から角段部４２の方向へ接着剤がはみ出したとしても、このような接着剤は、第１の溝５５に流れ込む。これによって、接着剤が角段部４２にはみ出すことを防止できる。また、このようにホルダ６０と上板部４１との間からベース４０の側面の方向へはみ出した接着剤は、第２の溝５６に流れ込む。これによって、接着剤がベース４０の側面にはみ出すことを防止できる。
[８]  次に、ステップ[７]で組み立てられた組立体に、ＵＶスポット照射を行い、接着剤を仮硬化させる。
[９]  次に、ステップ[８]で組み立てられた組立体の接着剤をオーブンで本硬化させる。
[１０]  最後に、レンズユニット７０のねじ込み量を調整して、レンズ８０、８１のフォーカス調整を行った後、レンズユニット７０とホルダ６０とを接着剤で固定する。
【００５４】
上記の様な手順で組み立てられたカメラモジュール１は、例えば、縦６ｍｍ、横６ｍｍ、高さ４．５ｍｍの大きさとなっているが、本発明のカメラモジュールはこのような大きさとなっているものに限定されない。
【００５５】
上記の実施形態のカメラモジュール１では、ホルダ６０に直接レンズユニット７０を螺合させる構成を有しているが、本発明はこれに限定されず、ベースと、ベースに接着剤で固定されているホルダとを有しているものであれば、例えば、ズーム機構やオートフォーカス機構などを有するカメラモジュールに本発明を適用してもよい。
【００５６】
最後に、本発明は上記の実施例に限定されるものではなく、以下に記載の特許請求の範囲から逸脱することなく、多くの改良および改変がなされてもよい。
【図面の簡単な説明】
【００５７】
【図１】本発明に係るカメラモジュールの実施形態の外観を示す斜視図である。
【図２】図１に示すカメラモジュールの分解断面図である。
【図３】本発明に係るカメラモジュールの第１実施形態のベースの斜視図である。
【図４】図１に示すカメラモジュールのホルダの斜視図である。
【図５】本発明に係るカメラモジュールの第２実施形態のベースの斜視図である。
【図６】図５におけるベースとホルダとの組立体のＡ−Ａ線における断面図である。
【図７】従来のカメラモジュールの断面図である。
【図８】従来のカメラモジュールのベースの斜視図である。
【符号の説明】
【００５８】
１  カメラモジュール
１０  撮像素子
１１  電子部品
２０  基板
２０ａ  凹部
３０  ベース
３１  上板部
３１ａ  凹部
３２  角段部
３５  周壁部
３５ａ  壁部
３５ｂ  コーナーポスト
３６  開口
３７  位置決め部
３８  接着剤注入部
３９  平面部
４０  ベース
４１  上板部
４１ａ  凹部
４２  角段部
４５  周壁部
４５ａ  壁部
４５ｂ  コーナーポスト
４６  開口
４７  位置決め部
４８  接着剤注入部
４９  平面部
５０  カットフィルタ
５５  第１の溝
５６  第２の溝
６０  ホルダ
６１  筒状部
６２  フランジ部
６３  ネジ溝
６４  筒状部の底面
６５  フランジ部の底面
７０  レンズユニット
７１  ネジ溝
８０、８１  レンズ
１００  カメラモジュール
１１０  撮像素子
１２０  基板
１３０  ベース
１３１  上板部
１３２  被押さえ部
１６０  ホルダ
１７０  レンズユニット
１８０、１８１  レンズ
【図１】
2006106716.tif 000003
【図２】
2006106716.tif 000004
【図３】
2006106716.tif 000005
【図４】
2006106716.tif 000006
【図５】
2006106716.tif 000007
【図６】
2006106716.tif 000008
【図７】
2006106716.tif 000009
【図８】
2006106716.tif 000010